(57)【要約】【課題】液晶装置において、フレームに対する光学部材の位置ずれ防止を図ることにより、液晶表示パネルと光学部材との位置ずれ防止を図り、これにより表示品位の低下を低減する。【解決手段】液晶装置は、液晶表示パネルと、液晶表示パネルに接着剤等を介して取り付けられ固定された偏光板（第１の偏光板、以下同様）と、液晶表示パネル及び偏光板の各々を収容した状態で支持する枠状のフレームとを備える。偏光板及び枠状のフレームの各々は相互に嵌り合う嵌合部を有し、偏光板の嵌合部と枠状のフレームの嵌合部とは嵌合している。これにより、偏光板は、液晶表示パネルとそれを支持する枠状のフレームとの両方に対し固定される。よって、液晶装置に対して衝撃等が作用した場合でも、枠状のフレームに対し偏光板の位置ずれが生じ難くなり、液晶表示パネルと偏光板との位置ずれが生じ難くなり、以って偏光板の位置ずれに起因する表示品位の低下を低減できる。【選択図】図３
2009075264.tif 000002
【特許請求の範囲】
【請求項１】
液晶表示パネルと、
前記液晶表示パネルに取り付けられた光学部材と、
前記液晶表示パネル及び前記偏光板の各々を収容した状態で支持する枠状のフレームと、を備え、
前記光学部材及び前記枠状のフレームの各々は相互に嵌り合う少なくとも1つの嵌合部を有し、
前記光学部材の前記嵌合部と前記枠状のフレームの前記嵌合部とは嵌合していることを特徴とする液晶装置。
【請求項２】
前記光学部材の前記嵌合部及び前記枠状のフレームの前記嵌合部は、凸形状と凹形状とで嵌合することを特徴とする請求項１に記載の液晶装置。
【請求項３】
前記液晶表示パネルは画像を表示する画像表示領域と実装部品を実装する実装領域を有する基板を含み、
前記光学部材は、前記基板に前記画像表示領域から前記実装領域にかけて延在するように取り付けられていることを特徴とする請求項１又は２に記載の液晶装置。
【請求項４】
前記光学部材に対して前記液晶表示パネル側とは逆側の面に配置される他の光学部材を更に備え、
前記他の光学部材は、前記枠状のフレームの前記嵌合部と嵌合する他の嵌合部を有し、
前記他の光学部材の前記他の嵌合部は、前記枠状のフレームの前記嵌合部と嵌合していることを特徴とする請求項１乃至３のいずれか一項に記載の液晶装置。
【請求項５】
請求項１乃至４のいずれか一項に記載の液晶装置を表示部として備えることを特徴とする電子機器。
【発明の詳細な説明】
【技術分野】
【０００１】
本発明は、各種情報の表示に用いて好適な液晶装置の構造に関する。
【背景技術】
【０００２】
従来より、透過型又は半透過型の液晶装置は、一対の基板に液晶層を狭持する液晶表示パネルと、液晶表示パネルを狭持する位置に配置された一対の偏光板と、液晶表示パネルの背面側に配置された照明装置と、を備えて構成される。照明装置は、一般的に、光源と、光源からの光を平面状の光として液晶表示パネルの背面に照射する導光板と、導光板の液晶表示パネル側に配置された各種の光学シートと、を備える。
【０００３】
例えば、特許文献１には、この種の構成を有する照明装置を備えた液晶表示装置が記載されている。この特許文献１に記載の液晶表示装置では、特に、光学シートの第１爪部がフレームの第１係合凹所に嵌め込まれていると共に、フレームに設けられた位置決め突起が光学シートに設けられた長孔に挿通された状態で、光学シートの第２爪部がフレームの第２係合凹所に嵌め込まれている。かかる構成により、光学シートに振動、衝撃等の機械的ストレスが作用した場合でも、光学シートは導光板に対して所定位置に保持され、光学シートの位置ずれ等に起因する表示不良を無くすことができるとされている。
【０００４】
なお、特許文献２には、導光板に設けた突起部により、フレームに対する適正な位置決めを行うことが可能な面状照明装置が記載されている。
【０００５】
【特許文献１】特開２００１−９１９４７号公報
【特許文献２】特開２００５−３０２４８５号公報
【発明の開示】
【発明が解決しようとする課題】
【０００６】
しかしながら、上記した特許文献１では、液晶表示装置に対して落下などの機械的な衝撃等が作用した場合には、その衝撃等により液晶表示パネルがフレームから位置ずれを起こし、これにより液晶表示パネルと光学シートとの位置ずれが生じてしまい、その結果、表示品位が低下してしまう虞がある。
【０００７】
本発明は、以上の点に鑑みてなされたものであり、フレームに対する光学部材の位置ずれ防止を図ることにより、液晶表示パネルと光学部材との位置ずれ防止を図り、これにより表示品位の低下を低減することが可能な液晶装置及び電子機器を提供することを課題とする。
【課題を解決するための手段】
【０００８】
本発明の１つの観点では、液晶装置は、液晶表示パネルと、前記液晶表示パネルに取り付けられた光学部材と、前記液晶表示パネル及び前記光学部材の各々を収容した状態で支持する枠状のフレームと、を備え、前記光学部材及び前記枠状のフレームの各々は相互に嵌り合う少なくとも1つの嵌合部を有し、前記光学部材の前記嵌合部と前記枠状のフレームの前記嵌合部とは嵌合している。
【０００９】
上記の液晶装置は、液晶表示パネルと、液晶表示パネルに取り付けられた光学部材と、液晶表示パネル及び光学部材の各々を収容した状態で支持する枠状のフレームと、を備える。ここで、光学部材としては、例えば、偏光板や、液晶表示パネルと偏光板の間に設けられる位相差板などが挙げられる。好適な例では、光学部材は、接着剤や粘着テープを介して液晶表示パネルに取り付けられていることが好ましい。これにより、光学部材は液晶表示パネルに対して固定される。そして、光学部材及び枠状のフレームの各々は相互に嵌り合う少なくとも1つの嵌合部を有し、光学部材の嵌合部と、枠状のフレームの嵌合部とは嵌合している。これにより、光学部材は枠状のフレームに対して固定される。つまり、光学部材は、液晶表示パネルと、液晶表示パネルを支持する枠状のフレームとの両方に対して固定される。よって、液晶装置に対して落下などの衝撃が作用した場合でも、枠状のフレームに対して光学部材の位置ずれが生じ難くなり、これによって液晶表示パネルと光学部材との位置ずれが生じ難くなり、その結果、光学部材の位置ずれに起因する表示品位の低下を低減できる。
【００１０】
好適な例では、前記光学部材の前記嵌合部及び、前記枠状のフレームの前記嵌合部は凸形状と凹形状とで嵌合することが好ましい。即ち、前記偏光板の前記嵌合部は凸形状を有し、前記枠状のフレームの前記嵌合部は凹形状を有することが好ましい。或いは、前記偏光板の前記嵌合部は凹形状を有し、前記枠状のフレームの前記嵌合部は凸形状を有することが好ましい。
【００１１】
上記の液晶装置の一つの態様では、前記液晶表示パネルは画像を表示する画像表示領域と実装部品を実装する実装領域を有する基板を含み、前記光学部材は、前記基板に前記画像表示領域から前記実装領域にかけて延在するように取り付けられている。この態様では、光学部材が画像表示領域から実装領域にかけて延在するように基板に対して取り付けられているので、その分、光学部材による、基板の強度向上を図ることができる。
【００１２】
上記の液晶装置の他の態様では、前記光学部材に対して前記液晶表示パネル側とは逆側の面に配置される他の光学部材を更に備え、前記他の光学部材は、前記枠状のフレームの前記嵌合部と嵌合する他の嵌合部を有し、前記他の光学部材の前記他の嵌合部は、前記枠状のフレームの前記嵌合部と嵌合している。
【００１３】
この態様では、上記の光学部材に対して液晶表示パネル側とは逆側の面に配置される他の光学部材を更に備える。かかる他の光学部材としては、例えば、光を液晶表示パネル側に向けて集束させるプリズムシート、位相差フィルムなどが挙げられる。そして、他の光学部材は、枠状のフレームの嵌合部と嵌合する他の嵌合部を有し、他の光学部材の他の嵌合部は、枠状のフレームの嵌合部と嵌合している。これにより、上記の光学部材が液晶表示パネルと液晶表示パネルを支持する枠状のフレームとの両方に対して固定されるのに加え、当該他の光学部材も枠状のフレームに対して固定される。よって、液晶装置に対して落下などの衝撃が作用した場合でも、枠状のフレームに対して、上記の光学部材及び当該他の光学部材の位置ずれが生じ難くなり、これによって液晶表示パネルと上記の光学部材及び当該他の光学部材との位置ずれが生じ難くなり、その結果、上記の光学部材及び当該他の光学部材の位置ずれに起因する表示品位の低下を低減できる。
【００１４】
本発明の他の観点では、上記の液晶装置を表示部として備える電子機器を構成することができる。
【発明を実施するための最良の形態】
【００１５】
以下、図面を参照して本発明を実施するための最良の形態について説明する。
【００１６】
[液晶装置の構成]
以下、図１乃至図３を参照して、本発明の実施形態に係る液晶装置１００の構成について説明する。
【００１７】
図１は、本発明の実施形態に係る液晶装置１００を、観察者により視認される観察側から見た斜視図を示す。なお、図１において、二点鎖線にて囲まれる領域は、液晶表示パネル５０において、文字、図形等の画像が表示される有効表示領域（画像表示領域）Ｖである。図２は、図１の液晶装置１００の分解斜視図を示す。図２において、破線にて囲まれる領域Ａ１は、ドライバＩＣ５や配線基板（図示略）を含む実装部品が実装される実装領域１ｈである。図３は、図１の液晶装置１００における切断線Ａ−Ａ’に沿った断面図を示す。
【００１８】
本実施形態に係る液晶装置１００は、主に、液晶表示パネル５０と、光学部材の一例としての、第１の偏光板６及び第２の偏光板７と、枠状のフレーム８と、照明装置５１と、第１のフレーム９及び第２のフレーム１０と、を備える。
【００１９】
液晶表示パネル５０は、ガラスなどの透光性材料により形成された第１の基板１と、第１の基板１と同様の材料により形成された第２の基板２とを枠状のシール材３を介して貼り合わせ、その枠状のシール材３で区画される領域に液晶層４が封入されてなる。液晶表示パネル５０は、枠状のフレーム８の内側面に嵌まり込む形状を有する。液晶表示パネル５０の液晶層４側の内面上には、例えば、ブラックマトリクス、カラーフィルタ、電極その他の多くの構成要素がマトリクス状（格子状）又はストライプ状（線状）に形成されるが、図１乃至図３では図示を省略している。また、第１の基板１は、第２の基板２の一端から外側へ張り出すと共に、実装部品を実装する実装領域１ｈを有する。実装領域１ｈの一方の面上には、液晶を駆動するためのドライバＩＣ５が実装されている。なお、本発明では、液晶表示パネル５０は、特定の構成に限定されず、周知の種々の構成を採り得る。
【００２０】
第１の偏光板６及び第２の偏光板７は、液晶表示パネル５０を挟持する位置に配置されている。具体的には、第１の偏光板６は、略矩形状の平面形状を有し、図示しない接着剤（又は粘着テープ）を介して第１の基板１の第２の基板２側とは逆側の面上に取り付けられている。また、第１の偏光板６は、画像表示領域Ｖから実装領域１ｈにかけて延在するように第１の基板１の第２の基板２側とは逆側の面上に取り付けられている。これにより、第１の偏光板６による、第１の基板１の実装領域１ｈの強度向上を図ることができる。一方、第２の偏光板７は、略矩形状の平面形状を有し、図示しない接着剤（又は粘着テープ）を介して第２の基板２の第１の基板側とは逆側の面上に取り付けられている。また、第１の偏光板６及び第２の偏光板７の各々は光学軸（例えば透過軸）を有し、第１の偏光板６の光学軸と第２の偏光板７の光学軸のなす角度は、例えば略９０度に設定される。
【００２１】
枠状のフレーム８は、例えば、プラスチックなどの樹脂材料にて形成された枠状の支持体である。枠状のフレーム８の内側には、液晶表示パネル５０の外縁部並びに第１の偏光板６及び第２の偏光板７の外縁部がそれぞれ嵌め込まれており、枠状のフレーム８は、液晶表示パネル５０並びに第１の偏光板６及び第２の偏光板７の各々を収容した状態で支持又は固定する。
【００２２】
照明装置５１は、図３に示すように、光源５１ａと、導光板５１ｂと、導光板５１ｂの液晶表示パネル５０側の面上に配置された各種の光学部材５１ｃと、を備える。光源５１ａは、例えばＬＥＤ（Light Emitting Diode）であり、導光板５１ｂの一端面（以下、「入光端面」と称する）５１ｂａ側に配置される。光源５１ａは、駆動電流が供給されることにより発光し、その発光した光Ｌは、導光板５１ｂの入光端面５１ｂａを通じて導光板５１ｂの内部へ入射する。導光板５１ｂは、透光性素材にて形成され、光源５１ａから出射された光Ｌを液晶表示パネル５０の面内に均一に照射する。導光板５１ｂの入光端面５１ｂａから導光板５１ｂの内部に入射した光Ｌは、導光板５１ｂの下面と上面（出光面）との間で反射を繰り返す。そして、当該出光面と光Ｌのなす角が臨界角を超えると、光Ｌは、当該出光面を透過して各種の光学部材５１ｃ側へ出光する。各種の光学部材５１ｃには、光を散乱させる拡散シート（図示略）、光を液晶表示パネル５０側に向けて集束させるプリズムシート（図示略）、位相差フィルム（図示略）などが含まれる。但し、本発明では、照明装置５１に対して、これらの光学シートを設けることは必須ではない。
【００２３】
第１のフレーム９及び第２のフレーム１０は、例えば金属材料にて形成され、相互に嵌り合う形状を有する。第２のフレーム１０は、液晶表示パネル５０の画像表示領域Ｖに対応する位置に設けられた開口１０ａを有する。第１のフレーム９と第２のフレーム１０は、相互に嵌り合うことで、照明装置５１、枠状のフレーム８に支持された液晶表示パネル５０並びに第１の偏光板６及び第２の偏光板７の各々を収容した状態で支持する。
【００２４】
以上の構成の下、照明装置５１の光源５１ａから出射された光Ｌは、導光板５１ｂ、各種の光学部材５１ｃ、第１の偏光板６、液晶表示パネル５０、第２の偏光板７をこの順に透過する。このとき、液晶層４の配向制御が行われ、所望の表示画像が観察者によって視認される。
【００２５】
（フレーム等に対する光学部材の位置ずれ防止構造）
次に、図１乃至図４を参照して、本発明の特徴をなすフレーム等に対する、光学部材の一例としての第１の偏光板６の位置ずれ防止構造について説明する。図４（ａ）は、液晶装置１００の構成要素である第１の偏光板６の斜視図を示す。図４（ｂ）は、液晶装置１００の構成要素である枠状のフレーム８の斜視図を示す。
【００２６】
第１の偏光板６及び枠状のフレーム８の各々は、相互に嵌り合う嵌合部６ｂ、８ｂを有する。第１の偏光板６の嵌合部６ｂ及び、枠状のフレーム８の嵌合部８ｂは凸形状と凹形状とで嵌合する。本例では、第１の偏光板６の嵌合部６ｂは、当該第１の偏光板６の外側面（外壁又は外辺）６ａから外側に向けて突出する凸形状を有すると共に、枠状のフレーム８の嵌合部８ｂは、当該枠状のフレーム８の内側面（内壁又は内辺）８ａに対して窪むように形成され、且つ当該第１の偏光板６の凸形状と嵌り合う凹形状を有する。但し、本発明では、枠状のフレーム８の嵌合部８ｂは、当該枠状のフレーム８の内側面８ａから内側に向けて突出する凸形状を有すると共に、第１の偏光板６の嵌合部６ｂは、当該第１の偏光板６の外側面６ａに対して内側に窪むように形成され、且つ当該枠状のフレーム８の凸形状と嵌り合う凹形状を有していてもよい。
【００２７】
以上の構成を有する第１の偏光板６は、図示しない接着剤（又は粘着テープ）を介して液晶表示パネル５０の観察側と逆側の面に取り付けられており、第１の偏光板６は、液晶表示パネル５０の観察側と逆側の面に対して固定されている。そして、液晶表示パネル５０、及び液晶表示パネル５０に固定された第１の偏光板６は、図３に示すように、枠状のフレーム８に収容された状態で支持されていると共に、第１の偏光板６の嵌合部６ｂと枠状のフレーム８の嵌合部８ｂとは嵌合している。これにより、第１の偏光板６は枠状のフレーム８に対して固定される。つまり、第１の偏光板６は、液晶表示パネル５０と、液晶表示パネル５０を支持する枠状のフレーム８との両方に対して固定される。よって、液晶装置１００に対して落下などの衝撃が作用した場合でも、枠状のフレーム８に対して第１の偏光板６の位置ずれが生じ難くなり、これによって液晶表示パネル５０と第１の偏光板６との位置ずれが生じ難くなり、その結果、第１の偏光板６の位置ずれに起因する表示品位の低下を低減できる。
【００２８】
なお、本発明では、第１の偏光板６の嵌合部６ｂは、枠状のフレーム８の嵌合部８ｂと嵌り合う形状であればどのような形状であってもよく、また、第１の偏光板６の各外側面（外壁又は外辺）６ａに対して何個形成されてもよく、また、第１の偏光板６の複数の外側面（外壁又は外辺）６ａａ、６ａｂ、６ａｃ、６ａｄのうち、どの外側面（外壁又は外辺）に形成されてもよい。好適な例では、第１の偏光板６の嵌合部６ｂは、第１の偏光板６の複数の外側面（外壁又は外辺）６ａａ、６ａｂ、６ａｃ、６ａｄのうち、実装領域１ｈ側に位置する外側面（外壁又は外辺）６ａａ以外の３つの外側面（外壁又は外辺）６ａｂ、６ａｃ、６ａｄの各々に形成されていることが好ましく、また、第１の偏光板６の嵌合部６ｂは、第１の偏光板６の複数の外側面（外壁又は外辺）６ａａ、６ａｂ、６ａｃ、６ａｄのうち、実装領域１ｈ側に位置する外側面（外壁又は外辺）６ａａ以外の３つの外側面（外壁又は外辺）６ａｂ（但し、外側面６ａｂにおいて実装領域１ｈに位置する領域は除く）、６ａｃ、６ａｄ（但し、外側面６ａｄにおいて実装領域１ｈに位置する領域は除く）の各々に形成されていることがより好ましい。
【００２９】
また、同様に、本発明では、枠状のフレーム８の嵌合部８ｂは、第１の偏光板６の嵌合部６ｂと嵌り合う形状であればどのような形状であってもよく、また、枠状のフレーム８の各外側面（外壁又は外辺）８ｃに対して何個形成されてもよく、また、枠状のフレーム８の複数の外側面（外壁又は外辺）８ｃａ、８ｃｂ、８ｃｃ、８ｃｄのうち、どの外側面（外壁又は外辺）に形成されてもよい。好適な例では、枠状のフレーム８の嵌合部８ｂは、枠状のフレーム８の複数の外側面（外壁又は外辺）８ｃａ、８ｃｂ、８ｃｃ、８ｃｄのうち、実装領域１ｈ側に位置する外側面（外壁又は外辺）８ｃａ以外の３つの外側面（外壁又は外辺）８ｃｂ、８ｃｃ、８ｃｄの各々に形成されていることが好ましく、また、枠状のフレーム８の嵌合部８ｂは、枠状のフレーム８の複数の外側面（外壁又は外辺）８ｃａ、８ｃｂ、８ｃｃ、８ｃｄのうち、実装領域１ｈ側に位置する外側面（外壁又は外辺）８ｃａ以外の３つの外側面（外壁又は外辺）８ｃｂ（但し、外側面８ｃｂにおいて実装領域１ｈに位置する領域は除く）、８ｃｃ、８ｃｄ（但し、外側面８ｃｄにおいて実装領域１ｈに位置する領域は除く）に形成されていることがより好ましい。
【００３０】
即ち、本発明では、第１の偏光板６の嵌合部６ｂ及び枠状のフレーム８の嵌合部８ｂの形状、設定数、設定位置などに限定はない。
【００３１】
例えば、図５及び図６は、第１の偏光板の嵌合部６ｂ及び枠状のフレームの嵌合部８ｂの他の形態例を備える液晶装置１００ｚの構成を示す。具体的には、図５は、液晶装置１００ｚの分解斜視図である。図６（ａ）は、液晶装置１００ｚの構成要素である第１の偏光板６ｚの斜視図である。なお、図６（ａ）において、破線領域Ａ２で示す第１の偏光板６ｚの領域は、第１の基板１の実装領域１ｈに対応する位置に配置される。図６（ｂ）は、液晶装置１００ｚの構成要素である枠状のフレーム８ｚの斜視図である。なお、図６（ｂ）において、破線領域Ａ３で示す枠状のフレーム８ｚの領域には、第１の基板１の実装領域１ｈが配置される。また、図６（ｂ）では、枠状のフレーム８ｚの嵌合部８ｂｘ又は８ｂｙの形状が分かるように、その付近を拡大した要部斜視図（円状の破線内に示す図）を示す。
【００３２】
この液晶装置１００ｚにおいて、第１の偏光板６ｚは、上記した第１の偏光板６と略同様の大きさ及び光学軸を有し、図示しない接着剤（又は粘着テープ）を介して第１の基板１の第２の基板２側とは逆側の面上に取り付けられると共に、画像表示領域Ｖから実装領域１ｈにかけて延在するように第１の基板１の第２の基板２側とは逆側の面上に取り付けられる。第１の偏光板６ｚは、実装領域１ｈ側に位置する外側面（外壁又は外辺）６ａａ以外の３つの外側面（外壁又は外辺）６ａｂ、６ａｃ、６ａｄの各々から外側に向けて突出する凸形状を有する嵌合部６ｂｘ、６ｂｙを備える。本例では、第１の偏光板６ｚの外側面６ａｂ及び６ａｄの各々に設けられる嵌合部６ｂｘの突出する長さは、第１の偏光板６ｚの外側面６ａｃに設けられる各嵌合部６ｂｙの突出する長さと比べて長く設定されている。
【００３３】
枠状のフレーム８ｚは、枠状のフレーム８と同様の役割を有する。枠状のフレーム８ｚは、実装領域１ｈ側に位置する外側面（外壁又は外辺）８ｃａ以外の３つの外側面（外壁又は外辺）８ｃｂ、８ｃｃ、８ｃｄの各々に対して設けられ、且つ、第１の偏光板６ｚの嵌合部６ｂｘと嵌り合う嵌合部８ｂｘ、及び、第１の偏光板６ｚの嵌合部６ｂｙと嵌り合う嵌合部８ｂｙを備える。嵌合部８ｂｘは、枠状のフレーム８ｚの外側面（外壁又は外辺）８ｃｂ又は８ｃｄから内側面（内壁又は内辺）８ａにかけて貫通していると共に、枠状のフレーム８ｚに対して第１の偏光板６ｚを収容する方向に対し窪んだ形状を有する。一方、嵌合部８ｂｙは、枠状のフレーム８ｚの内側面（内壁又は内辺）８ａから外側面（外壁又は外辺）８ｃｂ又は８ｃｄに対して窪んだ形状を有すると共に、枠状のフレーム８ｚに対して第１の偏光板６ｚを収容する方向に対し窪んだ形状を有する。
【００３４】
以上の構成を有する液晶装置１００ｚでは、第１の偏光板６ｚの各嵌合部６ｂｘは、対応する枠状のフレーム８ｚの各嵌合部８ｂｘと嵌合すると共に、第１の偏光板６ｚの各嵌合部６ｂｙは、対応する枠状のフレーム８ｚの各嵌合部８ｂｙと嵌合する。これにより、第１の偏光板６ｚは枠状のフレーム８ｚに対して固定される。なお、第１の偏光板６ｚは、液晶表示パネル５０と、液晶表示パネル５０を支持する枠状のフレーム８ｚとの両方に対して固定される。よって、液晶装置１００ｚに対して落下などの衝撃が作用した場合でも、枠状のフレーム８ｚに対して第１の偏光板６ｚの位置ずれが生じ難くなり、これによって液晶表示パネル５０と第１の偏光板６ｚとの位置ずれが生じ難くなり、その結果、第１の偏光板６ｚの位置ずれに起因する表示品位の低下を低減できる。
【００３５】
[変形例]
上記の実施形態では、第１の偏光板６にのみ、枠状のフレーム８の嵌合部８ｂと嵌り合う嵌合部６ｂを設けるようにした。これに限らず、本発明では、第２の偏光板７に対しても、枠状のフレーム８（又は８ｚ）の嵌合部８ｂ（又は８ｂｘ、８ｂｙ）と嵌り合う嵌合部を設け、第２の偏光板７の嵌合部を枠状のフレーム８（又は８ｚ）の嵌合部８ｂ（又は８ｂｘ、８ｂｙ）と嵌合させるようにしてもよい。これにより、第１の偏光板６のみならず第２の偏光板７も、液晶表示パネル５０と、液晶表示パネル５０を支持する枠状のフレーム８（又は８ｚ）との両方に対して固定される。よって、液晶装置１００に対して落下などの衝撃が作用した場合でも、枠状のフレーム８（又は８ｚ）に対して第１の偏光板６及び第２の偏光板７の位置ずれが生じ難くなり、これによって液晶表示パネル５０と第１の偏光板６及び第２の偏光板７との位置ずれが生じ難くなり、その結果、第１の偏光板６及び第２の偏光板７の位置ずれに起因する表示品位の低下を低減できる。
【００３６】
また、本発明では、第１の偏光板６と液晶表示パネル５０の間に配置される位相差板（図示略）などの光学部材、及び／又は、第２の偏光板７と液晶表示パネル５０の間に配置される位相差板（図示略）などの光学部材に対して、枠状のフレーム８の嵌合部８ｂと嵌り合う嵌合部６ｂを設けるようにしても構わない。
【００３７】
また、本発明では、図示を省略するが、各種の光学部材（他の光学部材）５１ｃ、より好ましくは特定の方向に光学軸を有する光学部材（例えばプリズムシートや位相差フィルムなど）に対しても、枠状のフレーム８（又は８ｚ）の嵌合部８ｂ（又は８ｂｘ、８ｂｙ）と嵌り合う他の嵌合部を設け、当該他の光学部材の他の嵌合部を枠状のフレーム８（又は８ｚ）の嵌合部８ｂ（又は８ｂｘ、８ｂｙ）と嵌合させるようにしてもよい。これにより、第１の偏光板６及び第２の偏光板７が、液晶表示パネル５０と、液晶表示パネル５０を支持する枠状のフレーム８（又は８ｚ）との両方に対して固定されるのに加え、当該他の光学部材も枠状のフレーム８（又は８ｚ）に対して固定される。よって、液晶装置１００に対して落下などの衝撃が作用した場合でも、枠状のフレーム８（又は８ｚ）に対して、第１の偏光板６及び第２の偏光板７並びに当該他の光学部材の位置ずれが生じ難くなり、これによって液晶表示パネル５０と第１の偏光板６及び第２の偏光板７並びに当該他の光学部材との位置ずれが生じ難くなり、その結果、当該他の光学部材の位置ずれに起因する表示品位の低下を低減できる。
【００３８】
その他、本発明では、その趣旨を逸脱しない範囲において種々の変形をすることが可能である。
【００３９】
[電子機器]
次に、上記の本実施形態に係る液晶装置１００又は１００ｚ（以下代表して、「液晶装置１０００」と称する）を備える電子機器の具体例について図７を参照して説明する。
【００４０】
まず、本発明に係る液晶装置１０００を、可搬型のパーソナルコンピュータ（いわゆるノート型パソコン）の表示部に適用した例について説明する。図７（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【００４１】
続いて、本発明に係る液晶装置１０００を、携帯電話機の表示部に適用した例について説明する。図７（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【００４２】
なお、本発明に係る液晶装置１０００を適用可能な電子機器としては、図７（ａ）に示したパーソナルコンピュータや図７（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００４３】
【図１】本発明の実施形態に係る液晶装置を観察側から見た斜視図。
【図２】本実施形態に係る液晶装置を観察側から見た分解斜視図。
【図３】本実施形態に係る液晶装置の断面図。
【図４】本実施形態に係る第１の偏光板及び枠状のフレームの各斜視図。
【図５】本発明の他の形態例に係る液晶装置を観察側から見た分解斜視図。
【図６】本発明の他の形態例に係る第１の偏光板及び枠状のフレームの各斜視図。
【図７】本発明の液晶装置を備える電子機器の斜視図。
【符号の説明】
【００４４】
６、６ｚ  第１の偏光板、  ６ｂ、６ｂｘ、６ｂｙ  嵌合部、  ７  第２の偏光板、  ８、８ｚ  枠状のフレーム、  ８ｂ、８ｂｘ、８ｂｙ  嵌合部、  ５０  液晶表示パネル、  ５１  照明装置、  ５１ｃ  光学部材、  １００、１００ｚ  液晶装置
【図１】
2009075264.tif 000003
【図２】
2009075264.tif 000004
【図３】
2009075264.tif 000005
【図４】
2009075264.tif 000006
【図５】
2009075264.tif 000007
【図６】
2009075264.tif 000008
【図７】
2009075264.tif 000009